(57)【要約】      （修正有）【課題】使用時に、載置壁部を、ぶれを抑制して安定して配置可能な収納具を提供する。【解決手段】収納具Ｐ１は、シート１のヘッドレスト５のステイ６を用いてシート１に取り付けられる構成とされて、背もたれ部４の背面４ａ側に配置されて、収納物を載置可能とされる載置壁部１１と、左右方向に沿って配置される少なくとも２つのステイ６に取り付けられる取付連結部２４と、を備える。載置壁部１１が、前端１２を、背もたれ部４に支持されるように配置される。取付連結部２４が、ステイ６に取り付けられる取付部２５と、取付部２５と載置壁部１の後端１３側とを連結するように配置される連結部１９ｂと、を備えるとともに、背もたれ部４の上端４ｂ付近を除いて、背もたれ部４に接触しない状態として、載置壁部１１側とステイ６との間に張架されるように、構成される。【選択図】図１
0003187335.tif 000002
【実用新案登録請求の範囲】
【請求項１】
車両用シートに取り付けられて、該シートにおける背もたれ部の背面側に配置される収納具であって、
前記シートのヘッドレストのステイを用いて前記シートに取り付けられる構成とされて、前記シートにおける背もたれ部の背面側に配置されて、収納物を載置可能とされる載置壁部と、左右方向に沿って配置される少なくとも２つの前記ステイに取り付けられる取付連結部と、を備え、
前記載置壁部が、前端を、前記背もたれ部に支持されるように配置され、
前記取付連結部が、
前記ステイに取り付けられる取付部と、該取付部と前記載置壁部の左右の後端側とを連結するように配置される連結部と、を備えるとともに、
前記背もたれ部の上端付近を除いて、前記背もたれ部に接触しない状態として、前記載置壁部側と前記ステイとの間に張架されるように、構成されていることを特徴とする収納具。
【請求項２】
前記収納具が、
上端側を前記取付部に連結され、下端側を前記載置壁部の前端と連結されて、前記背もたれ部の背面に略沿って配置される前壁部と、
該前壁部の左右両端側と、前記載置壁部との左右両端側と、を、それぞれ連結する２つの側壁部と、
を備える構成とされ、
前記側壁部の後縁側の部位が、前記連結部を構成していることを特徴とする請求項１に記載の収納具。
【請求項３】
前記取付部が、前記ステイに取り付けられる取付具と、該取付具を左右にスライド可能として前記取付具を支持して前記連結部と連結される長尺状の左右方向に延びる支持棒部と、を備えていることを特徴とする請求項２に記載の収納具。
【請求項４】
前記取付部が、２つの前記ステイに巻き掛け可能として長さ調整を可能としたベルト部と、該ベルト部の両端を支持して前記連結部と連結される長尺状の左右方向に延びる支持杆部と、を備えていることを特徴とする請求項２に記載の収納具。
【請求項５】
前記各側壁部に、前記連結部の長さ寸法を調整可能な長さ調整機構が、配置されていることを特徴とする請求項２乃至４のいずれか１項に記載の収納具。
【請求項６】
前記側壁部が、前記載置壁部の後端と前記取付具とを結ぶ直線より後上方に延びる延設部を、備える構成とされ、
前記前壁部と前記側壁部と前記載置壁部とに囲まれた開口部分を開閉可能に覆う蓋部が、配設されていることを特徴とする請求項２乃至４のいずれか１項に記載の収納具。
【請求項７】
前記載置壁部の前端側に、前記載置壁部の前記背もたれ部からの位置ずれを防止する位置ずれ防止部が、配置されていることを特徴とする請求項１に記載の収納具。
【請求項８】
前記載置壁部の後端側に、上方に突出する突起部が、左右の略全域にわたって形成されていることを特徴とする請求項１に記載の収納具。
【考案の詳細な説明】
【技術分野】
【０００１】
本考案は、車両用シートに取り付けられて、シートにおける背もたれ部の背面側に配置される収納具に関する。
【背景技術】
【０００２】
従来、車両用シートにおける背もたれ部の背面側に配置される収納具としては、ヘッドレストを超えて背もたれ部に巻き掛け、背もたれ部の上端近傍に配置される固定ベルトで固定されるようにして、背もたれ部に取り付けられる幅広のシート状の取付部材の下端側に、収納物を載置させるための載置壁部を、配置させた構成のものがあり、この載置壁部は、前端側を取付部材に連結されることに加えて、取付部材の上下の中間部位から延びる連結ベルトによって、両側面における前後の中央付近も、取付部材側に連結される構成とされていた（例えば、特許文献１参照）。この従来の収納具は、ノートパソコン等の電子機器を載置壁部に載置させて操作させるためのものであり、連結ベルトは、長さを調整可能に構成され、この連結ベルトの長さを調整することにより、載置壁部の背もたれ部に対する角度を調整可能な構成とされていた。
【先行技術文献】
【特許文献】
【０００３】
【特許文献１】特開２００２−２８３９２７公報
【考案の概要】
【考案が解決しようとする課題】
【０００４】
しかし、この従来の収納具では、載置壁部は、前端側を取付部材に連結される構成であるものの、載置壁部を取付部材に連結させる連結ベルトが、取付部材を背もたれ部に固定させる固定ベルトの下方に位置し、かつ、載置壁部の両側面における前後の略中央となる位置に、連結されていることから、使用時に、例えば、取付部材における連結ベルトと固定ベルトとの間の部位にたるみが生じたり屈曲する場合があって、載置壁部の角度を安定させがたく、使用時に載置壁部が大きくぶれる場合があった。
【０００５】
本考案は、上述の課題を解決するものであり、使用時に、載置壁部を、ぶれを抑制して安定して配置可能な収納具を提供することを目的とする。
【課題を解決するための手段】
【０００６】
本考案に係る収納具は、車両用シートに取り付けられて、シートにおける背もたれ部の背面側に配置される収納具であって、
シートのヘッドレストのステイを用いてシートに取り付けられる構成とされて、シートにおける背もたれ部の背面側に配置されて、収納物を載置可能とされる載置壁部と、左右方向に沿って配置される少なくとも２つのステイに取り付けられる取付連結部と、を備え、
載置壁部が、前端を、背もたれ部に支持されるように配置され、
取付連結部が、
ステイに取り付けられる取付部と、取付部と載置壁部の左右の後端側とを連結するように配置される連結部と、を備えるとともに、
背もたれ部の上端付近を除いて、背もたれ部に接触しない状態として、載置壁部側とステイとの間に張架されるように、構成されていることを特徴とする。
【０００７】
本考案の収納具では、載置壁部をヘッドレストのステイを用いて背もたれ部の背面側に取り付ける取付連結部が、ステイに取り付けられる取付部と、取付部と載置壁部の後端側とを連結する連結部と、を備える構成であり、また、この取付連結部は、背もたれ部の上端付近を除いて、背もたれ部に接触しない状態として、載置壁部側とステイとの間に張架されるように、構成されていることから、連結部にたるみ等が生じることを抑制でき、連結部によって、載置壁部の後端側を、取付部側に円滑に牽引させることができる。また、本考案の収納具では、載置壁部は、前端を、背もたれ部に支持されるように配置されていることから、載置壁部の前後両端側を、背もたれ部と取付連結部とにより、的確に支持させることができ、載置壁部が、上下にぶれることを、的確に抑制することができる。
【０００８】
したがって、本考案の収納具では、使用時に、載置壁部を、ぶれを抑制して安定して配置させることができる。
【０００９】
また、本考案の収納具において、収納具を、
上端側を取付部に連結され、下端側を載置壁部の前端と連結されて、背もたれ部の背面に略沿って配置される前壁部と、
前壁部の左右両端側と、載置壁部との左右両端側と、を、それぞれ連結する２つの側壁部と、
を備える構成とし、
側壁部の後縁側の部位により、連結部を構成することが、好ましい。
【００１０】
上記構成の収納具では、載置壁部の左右の側方を覆う側壁部を備えていることから、載置壁部に載置させた収納物が、左右の側方から落下することを抑制できる。
【００１１】
さらに、上記構成の収納具において、取付部を、ステイに取り付けられる取付具と、取付具を左右にスライド可能として取付具を支持して連結部と連結される長尺状の左右方向に延びる支持棒部と、を備える構成とすれば、ステイの間隔が異なっているシートに使用するような場合、シートに配置されるステイの位置にあわせて、取付具を支持棒部上でスライドさせることにより、取付具の配置位置を、ステイに対応させるように調整することができて、好ましい。
【００１２】
また、上記構成の収納具において、取付部を、２つのステイに巻き掛け可能として長さ調整を可能としたベルト部と、ベルト部の両端を支持して連結部と連結される長尺状の左右方向に延びる支持杆部と、を備える構成としてもよく、このような構成とした場合にも、ステイの間隔が異なっているシートに使用するような場合、シートに配置されるステイの間隔にあわせて、ベルト部の長さを調整させることができて、好ましい。
【００１３】
さらにまた、上記構成の収納具において、各側壁部に、連結部の長さ寸法を調整可能な長さ調整機構を、配置させる構成とすれば、載置壁部の背もたれ部に対する角度を微調整することができて、好ましい。
【００１４】
さらにまた、上記構成の収納具において、側壁部に、載置壁部の後端と取付具とを結ぶ直線より後上方に延びる延設部を、配置させる構成とし、
前壁部と側壁部と載置壁部とに囲まれた開口部分を開閉可能に覆う蓋部を、配設させる構成としてもよい。
【００１５】
収納具をこのような構成とすれば、側壁部の領域を後上方に延ばすことにより、収納具自体の容積を大きくすることができ、また、開口部分を覆う蓋部を備える構成とすることにより、収納具が収納物の外周側を全面にわたって覆うボックス状とされることから、例えば、汚れた靴等を収納させるのに、好適となって、好ましい。
【００１６】
さらにまた、上記構成の収納具において、載置壁部の前端側に、載置壁部の背もたれ部からの位置ずれを防止する位置ずれ防止部を、配置させる構成とすれば、載置壁部の前端側を、位置ずれを抑制して、背もたれ部によって支持させることができ、載置壁部の前端側が上下にぶれるのを確実に抑制できて、好ましい。
【００１７】
さらにまた、上記構成の収納具において、載置壁部の後端側に、上方に突出する突起部を、左右の略全域にわたって形成する構成とすれば、この突起部がストッパとなって、載置壁部に載置させた収納物が、後方に落下することも抑制できて、好ましい。
【図面の簡単な説明】
【００１８】
【図１】本考案の第１実施形態である収納具を、車両用シートに取り付けた状態の斜視図である。
【図２】第１実施形態の収納具をシートに取り付けた状態の側面図である。
【図３】第１実施形態の収納具の縦断面図である。
【図４】第１実施形態の収納具を折り畳んだ状態を示す斜視図である。
【図５】背もたれ部をリクライニングさせた状態のシートに、長さ調整機構により側壁部の長さを調整した状態の第１実施形態の収納具を取り付けた状態の側面図である。
【図６】長さ調整機構により側壁部の長さを調整した状態の第１実施形態の収納具を、シートに取り付けた状態の斜視図である。
【図７】本考案の第２実施形態である収納具の部分拡大分解斜視図である。
【図８】本考案の第３実施形態である収納具の部分拡大分解斜視図である。
【図９】本考案の第４実施形態である収納具を、シートに取り付けた状態の斜視図である。
【図１０】長さ調整機構により側壁部の長さを調整した状態の第４実施形態の収納具を、シートに取り付けた状態の斜視図である。
【図１１】本考案の第５実施形態である収納具を、シートに取り付けた状態の斜視図である。
【図１２】本考案の第６実施形態である収納具を、シートに取り付けた状態の斜視図である。
【図１３】本考案の第７実施形態である収納具を、シートに取り付けた状態の斜視図である。
【図１４】本考案の第８実施形態である収納具を、シートに取り付けた状態の斜視図である。
【図１５】本考案の第９実施形態である収納具を、シートに取り付けた状態の斜視図である。
【図１６】本考案の第１０実施形態である収納具を、シートに取り付けた状態の斜視図である。
【考案を実施するための形態】
【００１９】
以下、本考案の一実施形態を図面に基づいて説明する。まず、本考案の第１実施形態である収納具Ｐ１について、説明をする。なお、実施形態では、上下・前後・左右の方向は、特に断らない限り、収納具Ｐ１を取り付ける車両用シート（以下、単に「シート」と省略する）１の上下，前後，左右の方向と一致させて説明する。
【００２０】
シート１は、図１，２に示すように、図示しない座部と、座部の後端から上方に延びる背もたれ部４と、背もたれ部４の上端４ｂ側に配置されるヘッドレスト５と、を備えている。背もたれ部４は、上端４ｂ側を後方に向けるように、上下方向に対して傾斜して構成されている。すなわち、背もたれ部４の背面４ａも、上側を後方に向けるように上下方向に対して傾斜している（図２参照）。また、実施形態のシート１では、背もたれ部４をリクライニング可能に、構成されている。さらに、シート１は、背もたれ部４の背面４ａ側を、面状ファスナの雄型部材を係止可能なファブリックにより覆われて、構成されている。ヘッドレスト５は、下面側の左右両縁付近から下方に延びる略円柱状の２本のステイ６，６を備える構成とされ、これらのステイ６を、背もたれ部４の上端４ｂ側に形成される図示しない係止孔に挿入させることにより、背もたれ部４に取り付けられる構成である。なお、実施形態の場合、ヘッドレスト５は、背もたれ部４に対して着脱可能に取り付けられている。第１実施形態では、収納具Ｐ１は、車両のベンチシートタイプの後席を構成するシート１の背もたれ部４の背面４ａ側に、取り付けられている。
【００２１】
第１実施形態の収納具Ｐ１は、図１に示すように、外形形状を、軸方向を左右方向に略沿わせた略三角柱状として、後方を開口させた略箱形状として構成されている。具体的には、収納具Ｐ１は、略三角柱状の箱形状とされる収納具本体１０と、収納具本体１０をシート１のステイ６，６に取り付ける取付連結部２４と、を備えている。
【００２２】
取付連結部２４は、シート１の左右のステイ６，６に取り付けられる取付部２５と、取付部２５と収納具本体１０における後述する載置壁部１１の後端１３とを連結するように配置される連結部１９ｂと、を備える構成とされている。取付部２５は、収納具本体１０における後述する前壁部１７の上端１７ａ側に配置されている。そして、取付連結部２４は、ステイ６の配置される背もたれ部４の上端４ｂ付近を除いて、背もたれ部４に接触しない状態として、載置壁部１１側とステイ６との間に張架される（吊り下げられる）ように、構成されている。
【００２３】
収納具本体１０は、載置壁部１１を除いて、可撓性を有したシート材から形成されるもので、実施形態の場合、所定形状に裁断した織布を縫合させることにより、形成されている。収納具本体１０は、図２〜３に示すように、下面側に配置されて収納物を載置可能な載置壁部１１と、載置壁部１１の前方において下端１７ｂ側を載置壁部１１の前端１２と連結されて背もたれ部４の背面４ａに略沿って配置される前壁部１７と、左右の側方を塞ぐように配置される２つの側壁部１９，１９と、を備えている。載置壁部１１と前壁部１７とは、ともに、左右方向側を幅広とした略長方形状とされており、実施形態の場合、前後左右の幅寸法を、略同一に設定されている。具体的には、実施形態の場合、載置壁部１１と前壁部１７との左右方向側の幅寸法（収納具本体１０の左右方向側の幅寸法）は、シート１の背もたれ部４の左右方向側の幅寸法より僅かに小さく設定されている。また、実施形態では、載置壁部１１は、水平面に略沿うように、配置され、前壁部１７は、上端１７ａ側の後述する取付具２６の部位のみでステイ６に取り付けられる収納具本体１０の自重により、下端１７ｂを前方に向けつつ、背もたれ部４に押し付けられるような態様で、背もたれ部４に略沿って配置されている。そのため、前壁部１７の下端１７ｂ側と連結される載置壁部１１の前端１２は、背もたれ部４に支持されることとなる。
【００２４】
第１実施形態の収納具Ｐ１では、前壁部１７の下端１７ｂ側における左右両縁側近傍の部位の前面側には、収納具本体１０を背もたれ部４の背面４ａ側に係止可能な係止部３２，３２が、配置されている。この係止部３２，３２は、背もたれ部４の背面４ａを覆うファブリックに係止可能な面状ファスナの雄型部材から構成されるもので、収納具本体１０の背もたれ部４からの位置ずれを抑制して、安定してシート１に取付可能とするために、配置されている。そのため、第１実施形態の収納具Ｐ１では、この係止部３２，３２を介して、載置壁部１１の前端１２を背もたれ部４に安定して支持させることができる。
【００２５】
各側壁部１９は、それぞれ、前壁部１７の左右両端側と、載置壁部１１の左右両端側と、をそれぞれ連結するような略三角形状とされて、図２，３に示すように、後縁１９ａを、前壁部１７の上端１７ａと載置壁部１１の後端１３とを結ぶような直線状として、構成されている。すなわち、第１実施形態の収納具Ｐ１では、各側壁部１９の後縁１９ａ側の部位が、前壁部１７の上端１７ａ側に配置される取付部２５と、載置壁部１１の後端１３と、を連結する連結部１９ｂを、構成している。また、各側壁部１９には、後述するごとく、連結部１９ｂを構成する後縁１９ａ側の部位の長さ寸法を調整可能な長さ調整機構２１が配置されているが、実施形態の場合、各側壁部１９は、外形形状（後縁１９ａ側の長さ寸法）を、長さ調整機構２１を使用せずに平らに展開した状態で、リクライニング機構を使用していない状態のシート１に装着させた際に載置壁部１１を水平面に略沿わせて配置可能な形状とされている（図２参照）。
【００２６】
載置壁部１１は、図３に示すように、剛性を有した合成樹脂製の板状体からなる芯材１１ａと、芯材１１ａの外周面側を覆う表皮１１ｂと、から構成されるもので、表皮１１ｂにおいて、載置壁部１１の下面側を覆う部位は、前壁部１７，側壁部１９から連なるように構成されている。載置壁部１１における左右両端側と後端側とには、載置壁部１１よりも上方に突出する突起部１４が、配置されている。この突起部１４は、載置壁部１１における左右両端側と後端１３側とにおいて、連続的に配置されるもので、実施形態の場合、図１，３に示すように、載置壁部１１の前端１２にかけて、収束するように、構成されている。また、載置壁部１１において、前後の中央よりやや後方となる部位の上面側には、伸縮可能な帯状のゴム状弾性体からなる保持部材１５が、左右方向に沿って、載置壁部１１の左右の略全域にわたって配置されている（図１，３参照）。この保持部材１５は、左右両端側を、載置壁部１１に連結されるもので、載置壁部１１との間に収納物を挟持させて収納物を保持させるために、配置されている。
【００２７】
各側壁部１９には、後縁１９ａ側の部位（連結部１９ｂ）の長さ寸法を調整可能な長さ調整機構２１が、配置されている。第１実施形態では、長さ調整機構２１は、一対の帯状の面状ファスナ２２Ａ，２２Ｂから構成されており、この一対の帯状の面状ファスナ２２Ａ，２２Ｂを、相互に係止可能な状態として、各側壁部１９の外周面側に配置させている。具体的には、一対の面状ファスナ２２Ａ，２２Ｂは、図２に示すように、側壁部１９の後縁１９ａに略沿うようにして、前後でずらすように配置されるもので、離隔して配置される端部側（元部２２ａ側）を側壁部１９に連結させ、近接して配置される端部側（先端２２ｂ側）を自由端として、配置されている。そして、各側壁部１９を折り曲げるようにして、この面状ファスナ２２Ａ，２２Ｂを先端２２ｂ側の任意の箇所で相互に係止させれば、側壁部１９の後縁１９ａ側の部位（連結部１９ｂ）の長さ寸法を調整して、前壁部１７（背もたれ部４）に対する載置壁部１１の傾斜状態も調整することができる（図５，６参照）。なお、この一対の面状ファスナ２２Ａ，２２Ｂは、長さ寸法を、実施形態の場合、図２に示すように、側壁部１９を平らに展開した状態においても、先端２２ｂ相互を係止可能な寸法に、設定されている。
【００２８】
前壁部１７の上端１７ａ側をステイ６に取り付ける取付部２５は、図１に示すように、各ステイ６に取り付けられる２つの取付具２６，２６と、取付具２６を左右にスライド可能として取付具２６を支持する長尺状の支持棒部２９と、を備える構成とされている。支持棒部２９は、前壁部１７の上端１７ａ側において、前壁部１７の左右の略全域にわたって連続的に配設されるもので、実施形態の場合、丸棒状の木材から、形成されている。実施形態の場合、支持棒部２９は、外周側を前壁部１７の上端１７ａ側の部位により覆われている。各取付具２６は、ポリプロピレン等の合成樹脂製として、図４に示すように、支持棒部２９を嵌合可能に一部を切り欠かれた略円筒状の基部２７と、基部２７から前方に延びてステイ６に取り付けられるフック部２８と、を備えている。フック部２８は、実施形態の場合、ステイ６を挿入させて係止可能な係止凹溝２８ａ，２８ｂを、前後で２個並設させて構成されている。
【００２９】
また、第１実施形態の収納具Ｐ１には、収納具本体１０を、各側壁部１９，１９を内部に折り込むようにして、載置壁部１１を前壁部１７に沿わせるように配置させた収納状態を維持可能なように、係止部３０が、配置されている。具体的には、係止部３０は、相互に係止可能とされる一対の面状ファスナ３０ａ，３０ｂから構成されるもので、一方の面状ファスナ３０ａを、前壁部１７の上端１７ａ側における左右の中央付近から延びるベルト状とし、他方の面状ファスナ３０ｂを、載置壁部１１の後端１３近傍における下面側の左右の略中央となる位置に、配置させて、構成されている。そして、第１実施形態の収納具Ｐ１では、不使用時には、収納具本体１０を、各側壁部１９，１９を内部に折り込むようにして、載置壁部１１を前壁部１７に沿わせるように配置させ、前壁部１７から延びる面状ファスナ３０ａを、面状ファスナ３０ｂに係止させることにより、折畳状態で、保持させておくことができる（図４参照）。
【００３０】
そして、第１実施形態の収納具Ｐ１では、載置壁部１１をヘッドレスト５のステイ６を用いて背もたれ部４の背面４ａ側に取り付ける取付連結部２４が、ステイ６に取り付けられる取付部２５と、取付部２５と載置壁部１１の後端１３側とを連結する連結部１９ｂと、を備える構成であり、また、この取付連結部２４は、ステイ６の配置される背もたれ部４の上端４ｂ付近（実施形態の場合、取付部２５の部位）を除いて、背もたれ部４に接触しない状態として、載置壁部１１側とステイ６との間に張架される（吊り下げられる）ように、構成されていることから、連結部１９ｂにたるみ等が生じることを抑制でき、連結部１９ｂによって、載置壁部１１の後端１３側を、取付部２５側に円滑に牽引させることができる。また、第１実施形態の収納具Ｐ１では、載置壁部１１は、前端１２を、背もたれ部４に支持されるように配置されていることから、載置壁部１１の前端１２側と後端１３側とを、背もたれ部４と取付連結部２４とにより、的確に支持させることができ、載置壁部１１が、上下にぶれることを、的確に抑制することができる。
【００３１】
したがって、第１実施形態の収納具Ｐ１では、使用時に、載置壁部１１を、ぶれを抑制して安定して配置させることができる。
【００３２】
また、第１実施形態の収納具Ｐ１では、収納具本体１０を箱形状として、載置壁部１１の左右の側方を覆う側壁部１９，１９を備える構成としていることから、載置壁部１１に載置させた収納物が、左右の側方から落下することを抑制できる。
【００３３】
さらに、第１実施形態の収納具Ｐ１では、取付部２５を、ステイ６に取り付けられる取付具２６と、取付具２６を左右にスライド可能として取付具２６を支持する長尺状の支持棒部２９と、を備える構成としていることから、ステイ６の間隔が異なっているシート１に使用するような場合、シート１に配置されるステイ６の位置にあわせて、取付具２６を支持棒部２９上でスライドさせることにより、取付具２６の配置位置を、ステイ６に対応させるように調整することができる。
【００３４】
さらにまた、第１実施形態の収納具Ｐ１では、各側壁部１９に、連結部１９ｂの長さ寸法を調整可能な長さ調整機構２１を、配置させていることから、載置壁部１１の背もたれ部４に対する角度を微調整することができる。そのため、背もたれ部４をリクライニングさせて水平面に対する角度を変更した場合にも、長さ調整機構２１を使用して連結部１９ｂの長さを縮めることにより、載置壁部１１を、水平面に略沿った状態とすることができる（図５参照）。また、長さ調整機構２１を利用して、連結部１９ｂの長さを大きく縮めれば、載置壁部１１を前壁部１７に接近させて、ポケット状とした状態で、収納具Ｐ１を使用することもできる（図６参照）。
【００３５】
さらにまた、第１実施形態の収納具Ｐ１では、載置壁部１１の内部に、剛性を有した板状体からなる芯材１１ａを配置させていることから、載置壁部１１が撓むことを抑制でき、収納物を載置壁部１１に安定して載置させることができる。勿論、このような点を考慮しなければ、載置壁部の強度を確保でき、収納物を載置させた状態でも平面状を確保できる構成であれば、部分的に芯材を設ける等して、載置壁部全体を、剛性を有した板状体から構成しなくともよい。
【００３６】
さらにまた、第１実施形態の収納具Ｐ１では、載置壁部１１の後端１３側に、上方に突出する突起部１４を、左右の略全域にわたって連続的に配置させていることから、この突起部１４がストッパとなって、載置壁部１１に載置させた収納物が、後方に落下することも抑制できる。勿論、このような点を考慮しなければ、後述する第４実施形態の収納具Ｐ４のごとく、載置壁部１１Ｃの後端側に突起部を配置させない構成としてもよい。また、突起部は、連続的ではなく、断続的に配置させる構成としてもよい。しかしながら、載置壁部の左右方向側の曲げ剛性を確保するためには、突起部を連続的に配置させる構成とすることが、望ましい。
【００３７】
第１実施形態の収納具Ｐ１では、載置壁部１１が、内部に剛性を有した板状の芯材１１ａを配置させ、芯材１１ａの外周側を表皮１１ｂにより覆う構成とされているが、図７に示す第２実施形態の収納具Ｐ２のごとく、載置壁部１１Ａを、前壁部１７Ａ及び側壁部１９Ａと別体として、表皮を備えない合成樹脂製の板状体から構成し、前縁側と左右の側縁側で、前壁部１７Ａ，側壁部１９Ａと連結させるように構成してもよい。詳細に説明すれば、前壁部１７Ａ，側壁部１９Ａの下端側には、載置壁部１１Ａの前縁側と左右の側縁側に形成される突状部を嵌合可能な凹部１７ｃ，１９ｃが、形成され、この凹部１７ｃ，１９ｃには、水平方向の略全域にわたって合成樹脂製の板状体からなる補強部材１７ｄ，１９ｄが、配置されている。また、図８に示す第３実施形態の収納具Ｐ３のごとく、載置壁部１１Ｂを、ベニヤ板や合成樹脂製の板材等からなる平板状の芯材１１ａを表皮１１ｂの内部に挿入させた構成とし、載置壁部１１Ｂの後端１３Ｂ側に、突起部１４Ｂを構成する別体の合成樹脂製やアルミニウム製等の長尺状の部材を、嵌合させるように、構成してもよい。
【００３８】
次に、上述の第１実施形態と略同様の構成の第４実施形態の収納具Ｐ４について、説明をする（図９，１０参照）。この収納具Ｐ４では、載置壁部１１Ｃの内部には、別体からなる板状の図示しない芯材を配置させており、載置壁部１１Ｃの後端１３Ｃ側には突起部が配置されていない。さらに、収納具Ｐ４では、各側壁部１９Ｃ，１９Ｃに配置される長さ調整機構３１と、収納具Ｐ４をヘッドレスト５のステイ６に取り付ける取付部３３と、の構成が異なっている。このような点以外は、収納具Ｐ４は、上述の第１実施形態の収納具Ｐ１と略同一の構成であり、同一の部材には、同一の図符号の末尾に「Ｃ」を付して、詳細な説明を省略する。第４実施形態の収納具Ｐ４において使用される長さ調整機構３１は、図９，１０に示すように、各側壁部１９Ｃの後縁１９ａに略沿って配置されるベルト部３１ａと、ベルト部３１ａの長さを変更して保持可能なバックル部３１ｂを、備えている。また、この第４実施形態の収納具Ｐ４では、収納具本体１０Ｃは、シート１よりも左右に幅広に構成されて、シート１と、シート１に隣接されるシート１Ａと、に跨って配置されるもので、第４実施形態では、収納具本体１０Ｃは、取付部３３の後述するベルト部３４を、シート１の左側のステイ６と、シート１Ａの左側のステイ６Ａと、巻き掛けるようにして、シート１，１Ａに取り付けられている。
【００３９】
取付部３３は、図９，１０に示すように、２つのステイ６，６Ａに巻き掛け可能なベルト部３４と、ベルト部３４の両端を支持する支持杆部３５と、を備えている。支持杆部３５は、長尺状の左右方向に延びる丸棒状として、収納具本体１０Ｃにおける前壁部１７Ｃの上端１７ａ側に配置されるもので、側壁部１９Ｃの後縁側部位から構成される連結部１９ｂに、連結されている。ベルト部３４は、実施形態の場合、左右に２分割されてそれぞれ元部側を支持杆部３５に連結されるベルト本体３４ａ，３４ｂと、ベルト本体３４ａ，３４ｂの先端側に配置されて相互に着脱可能な一対の係合部材３４ｃと、を備える構成とされており、この係合部材３４ｃは、一方のベルト本体３４ｂの長さ寸法を調整可能な構成とされている。
【００４０】
この第４実施形態の収納具Ｐ４では、取付部３３を、２つのステイ６，６Ａに巻き掛け可能として長さ調整を可能としたベルト部３４と、ベルト部３４の両端を支持して連結部１９ｂと連結される支持杆部３５と、を備える構成としていることから、ステイの間隔が異なっているシートに使用するような場合にも、シートに配置されるステイの間隔にあわせて、ベルト部３４の長さを調整させることができる。
【００４１】
次に、本考案の第５実施形態の収納具Ｐ５について、説明をする。収納具Ｐ５は、図１１に示すように、側方から見た形状を略台形状とした箱形状として構成される収納具本体３６と、収納具本体３６をシート１のステイ６，６に取り付ける取付連結部４４と、を備えている。
【００４２】
取付連結部４４は、シート１の左右のステイ６，６に取り付けられる取付部４５と、取付部４５と収納具本体３６における載置壁部３７の後端３７ｂとを連結するように配置される連結部３９ａと、を備える構成とされている。取付部４５は、収納具本体３６における前壁部３８の上端３８ａ側に配置されている。そして、取付連結部４４は、ステイ６の配置される背もたれ部４の上端４ｂ付近を除いて、背もたれ部４に接触しない状態として、載置壁部３７側とステイ６との間に張架される（吊り下げられる）ように、構成されている。
【００４３】
収納具本体３６は、可撓性を有したシート材から形成されるもので、実施形態の場合、所定形状に裁断した織布を縫合させることにより、形成されている。収納具本体３６は、下面側に配置されて収納物を載置可能な載置壁部３７と、載置壁部３７の前方において下端３８ｂ側を載置壁部３７の前端と連結されて背もたれ部４の背面に略沿って配置される前壁部３８と、左右の側方を塞ぐように配置される２つの側壁部３９，３９と、前壁部３８と側壁部３９と載置壁部３７とに囲まれた後方側の開口部分を開閉可能に覆う蓋部４２と、を備えている。載置壁部３７は、水平面に略沿うように、配置されており、前壁部３８は、上端３８ａ側の取付具２６の部位のみでステイ６に取り付けられる収納具本体３６の自重により、下端３８ｂを前方に向けつつ、背もたれ部４に押し付けられるような態様で、背もたれ部４に略沿って配置される構成である。そのため、この収納具Ｐ５においても、前壁部３８の下端３８ｂ側と連結される載置壁部３７の前端３７ａ側が、背もたれ部４に支持されることとなる。第５実施形態の収納具Ｐ５では、収納具本体３６の各側壁部３９は、外形形状を略台形状とされている。そして、各側壁部３９において、前壁部３８の上端３８ａと載置壁部３７の後端３７ｂとを結ぶような直線状の部位（図１１の二点鎖線参照）が、前壁部３８の上端３８ａ側に配置される取付部４５（取付具４６）と、載置壁部３７の後端３７ｂと、を連結する連結部３９ａを、構成することとなる。さらに、各側壁部３９は、外形形状を略台形状とされて、取付具４６と載置壁部３７の後端３７ｂとを結ぶ直線（連結部３９ａの領域）より、後上方に延びる延設部４０を、備える構成とされている。
【００４４】
蓋部４２は、実施形態の場合、外周縁を全周にわたって、前壁部３８，側壁部３９，載置壁部３７に連結させて構成されるもので、左右の略中央において上下の略全域にわたって配置されるファスナ４２ａにより、左右開きで開閉可能に、構成されている。この第５実施形態の収納具Ｐ５では、収納具本体３６は、左右方向側の幅寸法を、シート１の背もたれ部４の左右方向側の幅寸法より僅かに小さく設定され、高さ寸法を、左右方向側の幅寸法より大きく設定されている。
【００４５】
前壁部３８の上端３８ａ側をステイ６に取り付ける取付部４５は、第１実施形態の収納具Ｐ１と同様に、各ステイ６に取り付けられる２つの取付具４６と、取付具４６を左右にスライド可能な長尺状の支持棒部４９と、を備える構成とされている。支持棒部４９は、前述の収納具Ｐ１における支持棒部２９と同様の構成とされている。各取付具４６は、前述の収納具Ｐ１における取付具２６と同様に、基部４７と、基部４７から延びるフック部４８と、を備える構成とされており、フック部４８には、ステイ６を挿入可能な略円形の係止孔４８ａが、前後で２個並設されている。また、第５実施形態の収納具Ｐ５においても、第１実施形態の収納具Ｐ１と同様に、前壁部３８の下端３８ｂ側における左右両縁側近傍の部位の前面側に、収納具本体３６を背もたれ部４の背面４ａ側に係止可能な面状ファスナの雄型部材から構成されている係止部５０，５０が、配置されている。
【００４６】
第５実施形態の収納具Ｐ５においても、載置壁部３７をヘッドレスト５のステイ６を用いて背もたれ部４の背面４ａ側に取り付ける取付連結部４４が、ステイ６に取り付けられる取付部４５と、取付部４５と載置壁部３７の後端３７ｂ側とを連結する連結部３９ａと、を備える構成であり、また、この取付連結部４４は、背もたれ部４の上端４ｂ付近を除いて、背もたれ部４に接触しない状態として、載置壁部３７側とステイ６との間に張架される（吊り下げられる）ように、構成されていることから、連結部３９ａにたるみ等が生じることを抑制でき、連結部３９ａによって、載置壁部３７の後端３７ｂ側を、取付部４５側に円滑に牽引させることができる。また、第５実施形態の収納具Ｐ５においても、載置壁部３７は、前端３７ａを、背もたれ部４に支持されるように配置されていることから、載置壁部３７の前端３７ａ側と後端３７ｂ側とを、背もたれ部４と取付連結部４４とにより、的確に支持させることができ、載置壁部３７が、上下にぶれることを、的確に抑制することができる。
【００４７】
したがって、第５実施形態の収納具Ｐ５においても、使用時に、載置壁部３７を、ぶれを抑制して安定して配置させることができる。
【００４８】
また、第５実施形態の収納具Ｐ５においても、取付部４５を、ステイ６に取り付けられる取付具４６と、取付具４６を左右にスライド可能として取付具４６を支持する長尺状の支持棒部４９と、を備える構成としていることから、シート１に配置されるステイ６，６の位置にあわせて、取付具４６の位置を左右で微調整することができる。
【００４９】
さらに、第５実施形態の収納具Ｐ５では、側壁部３９が、連結部３９ａから後上方に延びる延設部４０を備えていることから、領域を後上方に延ばすことにより、収納具Ｐ５自体（収納具本体３６）の容積を大きくすることができる。また、開口部分を覆う蓋部４２を備える構成とすることにより、収納具Ｐ５（収納具本体３６）が収納物の外周側を全面にわたって覆うボックス状とされることから、例えば、汚れた靴等を収納させるのに、好適である。
【００５０】
また、第５実施形態の収納具Ｐ５と同様のボックスタイプの変形例として、図１２に示す第６実施形態の収納具Ｐ６を挙げることができる。図１２に示す第６実施形態の収納具Ｐ６は、第５実施形態の収納具Ｐ５における収納具本体３６と外形形状を略同一として構成される収納具本体３６Ａと、収納具本体３６Ａをシート１のステイ６，６に取り付ける取付連結部５１と、を備えている。収納具本体３６Ａは、蓋部４２Ａの開閉の態様を異ならせる以外は、前述の収納具Ｐ５における収納具本体３６と同様の構成であることから、同一の部材には、同一の図符号の末尾に「Ａ」を付して、詳細な説明を省略する。第６実施形態の収納具Ｐ６における収納具本体３６Ａでは、蓋部４２Ａは、下縁側のみを、載置壁部３７Ａに連結させ、左右の両縁側と上縁側とを、ファスナ４２ａによって、着脱可能に連結されて、下開きで開閉可能に、構成されている。この収納具Ｐ６においても、取付連結部５１における連結部３９ａは、収納具本体３６Ａにおける左右の側壁部３９Ａの一部から、構成されている。取付連結部５１において、取付部５２は、図１２に示すように、両端側を収納具本体３６Ａの前壁部３８Ａの上端３８ａ側における左右両端付近に連結されるベルト状として、上述の第４実施形態の収納具Ｐ４におけるベルト部３４と同様に、長さ調整可能な構成とされるもので、左右に２分割されるベルト本体５２ａ，５２ｂと、ベルト本体５２ａ，５２ｂの先端側に配置されて相互に着脱可能な一対の係合部材５２ｃと、を備える構成とされて、係合部材５２ｃを、一方のベルト本体５２ｂの長さ寸法を調整可能な構成としている。そして、この取付部５２は、ベルト本体５２ａ，５２ｂを、シート１の２つのステイ６，６に掛けられるようにして、ステイ６，６に取り付けられる構成である。
【００５１】
この第６実施形態の収納具Ｐ６も、上述の収納具Ｐ５と同様の構成であることから、同様な作用を得ることができる。また、この収納具Ｐ６では、収納具Ｐ５と比較して、蓋部４２Ａを開いた際の開口面積を大きくできることから、使い勝手が一層良好である。
【００５２】
さらに、第５実施形態の収納具Ｐ５と同様のボックスタイプの変形例として、図１３に示す第７実施形態の収納具Ｐ７を挙げることができる。図１３に示す第７実施形態の収納具Ｐ７は、左右に幅広としている以外は、第５実施形態の収納具Ｐ５と同様の構成であることから、同一の部材には、同一の図符号の末尾に「Ｂ」を付して、詳細な説明を省略する。この収納具Ｐ７では、収納具本体３６Ｂは、シート１よりも左右に幅広に構成されて、シート１と、シート１に隣接されるシート１Ａと、に跨って配置されるもので、２つの取付具４６Ｂ，４６Ｂを、シート１の左側のステイ６と、シート１Ａの左側のステイ６Ａと、に、取り付けている。また、この収納具Ｐ７では、蓋部４２Ｂは、上述の収納具Ｐ６における蓋部４２Ａと同様に、下縁側のみを、載置壁部３７Ｂに連結させ、左右の両縁側と上縁側とを、ファスナ４２ａによって、着脱可能に連結されて、下開きで開閉可能に、構成されている。この第７実施形態の収納具Ｐ７も、上述の収納具Ｐ５，Ｐ６と同様の構成であることから、同様な作用を得ることができる。
【００５３】
次に、本考案の第８実施形態の収納具Ｐ８について、説明をする。収納具Ｐ８は、図１４に示すように、略板状の載置壁部５５と、載置壁部５５をシート１Ｂ，１Ｃのステイ６Ｂ，６Ｃに取り付ける取付連結部５９と、を備えている。この収納具Ｐ８では、載置壁部５５は、左右に幅広として、シート１Ｂと、シート１Ｂに隣接されるシート１Ｃと、に跨って配置されるもので、取付連結部５９を、シート１Ｂの左側のステイ６Ｂと、シート１Ｃの左側のステイ６Ｃと、に、取り付けている。なお、収納具Ｐ８を取り付けるシート１Ｂ，１Ｃは、背もたれ部４Ｂ，４Ｃを一体的に構成されるもので、面状ファスナの雄側部材を係止可能なファブリックにより、背もたれ部４Ｂ，４Ｃの背面４ａ側を覆っている。
【００５４】
載置壁部５５は、剛性を有した合成樹脂製の板状体から構成されるもので、左右に幅広の略長方形状として構成され、左右両縁側と後縁側と、に全周にわたって連続的に、上方に突出する突起部５６を配置させて構成されている。また、この載置壁部５５は、水平面に略沿うように、配置されている。載置壁部５５の前端５５ａ側には、載置壁部５５の背もたれ部４Ｂからの位置ずれを防止する位置ずれ防止部５７が、左右の略全域にわたって、配置されている。実施形態の場合、位置ずれ防止部５７は、背もたれ部４Ｂ，４Ｃの背面４ａを覆うファブリックに係止可能な面状ファスナの雄側部材から、構成されている。また、載置壁部５５において、前後の中央よりやや後方となる部位の上面側には、前述の第１実施形態の収納具Ｐ１と同様に、伸縮可能な帯状のゴム状弾性体からなる保持部材５８が、左右方向に沿って、載置壁部５５の左右の略全域にわたって配置されて、左右両端側を載置壁部５５に連結されている。
【００５５】
取付連結部５９は、ステイ６Ｂ，６Ｂに取り付けられる取付部６０と、取付部６０と載置壁部５５の後端５５ｂ側とを連結するように配置される連結部６１，６１とを備えるもので、実施形態の場合、可撓性を有したベルト状として、上述の第４実施形態の収納具Ｐ４におけるベルト部３４と同様に、長さ調整可能な構成とされるもので、左右に２分割されるベルト本体５９ａ，５９ｂと、ベルト本体５９ａ，５９ｂの先端側に配置されて相互に着脱可能な一対の係合部材５９ｅと、を備える構成とされて、係合部材５９ｅを、一方のベルト本体５９ｂの長さ寸法を調整可能な構成としている。この取付連結部５９は、ベルト本体５９ａ，５９ｂの元部側を、それぞれ、載置壁部５５の後端５５ｂ側における左右両端近傍に連結させている。そして、取付連結部５９は、全体の長さ寸法を調整可能とされるベルト本体５９ａ，５９ｂを、シート１Ｂ，１Ｃの２つのステイ６Ｂ，６Ｃに掛けることにより、ステイ６Ｂ，６Ｃに取り付けられる構成である。すなわち、この取付連結部５９では、ベルト本体５９ａ，５９ｂにおいて、ステイ６Ｂ，６Ｃ間にわたって、ステイ６Ｂ，６Ｃの前側に配置される中央側部位５９ｃが、取付部６０を構成し、各ステイ６Ｂ，６Ｃ付近から後下方に延びて載置壁部５５の後端５５ｂ側に連結される端側部位５９ｄ，５９ｄが、連結部６１，６１を構成している。そして、この取付連結部５９は、ステイ６Ｂ，６Ｃ付近となる背もたれ部４Ｂ，４Ｃの上端４ｂ付近を除いて、背もたれ部４Ｂ，４Ｃに接触しない状態として、載置壁部５５側とステイ６Ｂ，６Ｃとの間に張架される（吊り下げられる）ように、構成されている。
【００５６】
第８実施形態の収納具Ｐ８においても、載置壁部５５をヘッドレスト５Ｂ，５Ｃのステイ６Ｂ，６Ｃを用いて背もたれ部４Ｂ，４Ｃの背面４ａ側に取り付ける取付連結部５９が、ステイ６Ｂ，６Ｃに取り付けられる取付部６０と、取付部６０と載置壁部５５の後端５５ｂ側とを連結する連結部６１と、を備える構成であり、また、この取付連結部５９は、背もたれ部４Ｂ，４Ｃの上端４ｂ付近を除いて、背もたれ部４Ｂ，４Ｃに接触しないように構成されていることから、連結部６１（端側部位５９ｄ）にたるみ等が生じることを抑制でき、連結部６１によって、載置壁部５５の後端５５ｂ側を、取付部６０側に円滑に牽引させることができる。また、第８実施形態の収納具Ｐ８においても、載置壁部５５は、前端５５ａを、背もたれ部４Ｂ，４Ｃに支持されるように配置されていることから、載置壁部５５の前端５５ａ側と後端５５ｂ側とを、背もたれ部４Ｂ，４Ｃと取付連結部５９とにより、的確に支持させることができ、載置壁部５５が、上下にぶれることを、的確に抑制することができる。
【００５７】
したがって、第８実施形態の収納具Ｐ８においても、使用時に、載置壁部５５を、ぶれを抑制して安定して配置させることができる。
【００５８】
また、第８実施形態の収納具Ｐ８では、載置壁部５５の前端５５ａ側に、載置壁部５５の背もたれ部４Ｂ，４Ｃからの位置ずれを防止する位置ずれ防止部５７を、配置させていることから、載置壁部５５の前端５５ａ側を、位置ずれを抑制して、背もたれ部４Ｂ，４Ｃによって支持させることができ、載置壁部５５の前端５５ａ側が上下にぶれるのを確実に抑制できる。
【００５９】
また、第８実施形態の収納具Ｐ８と同様のタイプの変形例として、図１５に示す第９実施形態の収納具Ｐ９を挙げることができる。第９実施形態の収納具Ｐ９は、図１５に示すように、略板状の載置壁部５５Ａと、載置壁部５５Ａをシート１Ｄ，１Ｅのステイ６Ｄ，６Ｅに取り付ける取付連結部６５と、背もたれ部４Ｄ，４Ｅの背面側に配置されて載置壁部５５Ａに配置される位置ずれ防止部５７Ａを係止させる係止部６８と、を備えている。この収納具Ｐ９においても、載置壁部５５Ａは、左右に幅広として、シート１Ｄと、シート１Ｄに隣接されるシート１Ｅと、に跨って配置されるもので、取付連結部６５を、シート１Ｄの左側のステイ６Ｄと、シート１Ｅの左側のステイ６Ｅと、に、取り付けている。なお、収納具Ｐ９を取り付けるシート１Ｄ，１Ｅは、背もたれ部４Ｄ，４Ｅを一体的に構成されるもので、革張りとされている。
【００６０】
載置壁部５５Ａは、上述の収納具Ｐ８における載置壁部５５と同様の構成とされていることから、同一の部材には、同一の図符号の末尾に「Ａ」を付して、詳細な説明を省略する。
【００６１】
取付連結部６５は、係止部６８の上端６８ａ側に配置されてステイ６Ｄ，６Ｅに取り付けられる取付部２５Ｄと、取付部２５Ｄと載置壁部５５Ａの後端５５ｂ側とを連結する連結部６６と、を備えている。連結部６６は、載置壁部５５Ａの後端５５ｂ側における左右の両端付近から延びるように配置されるもので、可撓性を有した帯状の部材から形成されて、先端側に配置される連結具７１ａによって、取付部２５Ｄを構成する支持棒部２９Ｄに、先端側を連結させて、取付部２５Ｄと載置壁部５５Ａの後端５５ｂ側とを連結している。そして、取付連結部６５は、ステイ６Ｄ，６Ｅの配置される背もたれ部４Ｄ，４Ｅの上端４ｂ付近を除いて、背もたれ部４Ｄ，４Ｅに接触しない状態として、載置壁部５５Ａ側とステイ６Ｄ，６Ｅとの間に張架される（吊り下げられる）ように、構成されている。
【００６２】
載置壁部５５Ａに配置される位置ずれ防止部５７Ａを係止させる係止部６８は、左右に幅広の略長方形状として、面状ファスナの雄型部から形成される位置ずれ防止部５７Ａを係止可能なファブリックから、構成されている。実施形態の場合、係止部６８は、位置ずれ防止部５７Ａ（載置壁部５５Ａ）よりも左右に幅広として、形成されている。係止部６８の上端６８ａ側に配置される取付部２５Ｄは、上述の第１実施形態の収納具Ｐ１における取付部２５と同様に、各ステイ６Ｄ，６Ｅに取り付けられる２つの取付具２６Ｄ，２６Ｄと、取付具２６Ｄを左右にスライド可能として取付具２６Ｄを支持する長尺状の支持棒部２９Ｄ、を備える構成とされている。この取付部２５Ｄは、収納具Ｐ１における取付部２５と略同一の構成であることから、同一の図符号の末尾に「Ｄ」を付して、詳細な説明を省略する。なお、実施形態では、各取付具２６Ｄは、連結部６６より左右の内方となる位置に、配置されている。この第９実施形態の収納具Ｐ９も、上述の収納具Ｐ８と同様の構成であることから、同様な作用を得ることができる。
【００６３】
また、取り付けるシート１Ｆ，１Ｇが、背もたれ部４Ｆ，４Ｇの背面４ａ側にチャイルドシートを固定させるためのテザーアンカー７１を配置させている場合、図１６に示す収納具Ｐ１０のように、載置壁部５５Ｂの前端５５ａ側に、テザーアンカー７１に係止可能な係止部７２を設け、この係止部７２を、背もたれ部４Ｆ，４Ｇからの位置ずれを防止する位置ずれ防止部として、構成してもよい。この第１０実施形態の収納具Ｐ１０では、載置壁部５５Ｂをさらに左右に幅広として、係止部７２を備える構成とされる以外は、上述の第８実施形態の収納具Ｐ８と同様の構成であることから、同一の部材には、同一の図符号の末尾に「Ｂ」を付して、詳細な説明を省略する。この第１０実施形態の収納具Ｐ１０も、上述の収納具Ｐ８と同様の構成であることから、同様な作用を得ることができる。
【００６４】
なお、実施形態では、車両のベンチシートタイプの後席に、収納具Ｐ１〜Ｐ１０を取り付けているが、収納具を取り付ける座席は後席に限られるものではなく、車両の前席に取り付ける構成としてもよい。
【符号の説明】
【００６５】
１，１Ａ，１Ｂ，１Ｃ，１Ｄ，１Ｅ，１Ｆ，１Ｇ…シート（車両用シート）、４，４Ａ，４Ｂ，４Ｃ，４Ｄ，４Ｅ，４Ｆ，４Ｇ…背もたれ部、４ａ…背面、４ｂ…上端、５，５Ａ，５Ｂ，５Ｃ，５Ｄ，５Ｅ，５Ｆ，５Ｇ…ヘッドレスト、６，６Ａ，６Ｂ，６Ｃ，６Ｄ，６Ｅ，６Ｆ，６Ｇ…ステイ、１１，１１Ａ，１１Ｂ，１１Ｃ…載置壁部、１１ａ…芯材、１２…前端、１３…後端、１４，１４Ａ，１４Ｂ…突起部、１７，１７Ａ，１７Ｂ，１７Ｃ…前壁部、１７ａ…上端、１７ｂ…下端、１９，１９Ａ，１９Ｂ，１９Ｃ…側壁部、１９ａ…後縁、１９ｂ…連結部、２１…長さ調整機構、２４，２４Ａ，２４Ｂ，２４Ｃ…取付連結部、２５，２５Ａ，２５Ｂ，２５Ｃ，２５Ｄ…取付部、２６，２６Ａ，２６Ｂ，２６Ｃ，２６Ｄ…取付具、２９，２９Ａ，２９Ｂ，２９Ｃ，２９Ｄ…支持棒部、３１…長さ調整機構、３３…取付部、３４…ベルト部、３５…支持杆部、３７，３７Ａ，３７Ｂ…載置壁部、３７ａ…前端、３７ｂ…後端、３８，３８Ａ，３８Ｂ…前壁部、３８ａ…上端、３８ｂ…下端、３９，３９Ａ，３９Ｂ…側壁部、３９ａ…連結部、４０，４０Ａ，４０Ｂ…延設部、４２，４２Ａ，４２Ｂ…蓋部、４４，４４Ｂ…取付連結部、４５，４５Ｂ…取付具、４９，４９Ｂ…支持棒部、５１…取付連結部、５２…取付部、５５，５５Ａ，５５Ｂ…載置壁部、５５ａ…前端、５５ｂ…後端、５６，５６Ａ，５６Ｂ…突起部、５７，５７Ａ…位置ずれ防止部、５９，５９Ｂ…取付連結部、６０，６０Ｂ…取付部、６１，６１Ｂ…連結部、６４…係止部、６５…取付連結部、６６…連結部、６８…係止部、７２…係止部（位置ずれ防止部）、Ｐ１，Ｐ２，Ｐ３，Ｐ４，Ｐ５，Ｐ６，Ｐ７，Ｐ８，Ｐ９，Ｐ１０…収納具。
【図１】
0003187335.tif 000003
【図２】
0003187335.tif 000004
【図３】
0003187335.tif 000005
【図４】
0003187335.tif 000006
【図５】
0003187335.tif 000007
【図６】
0003187335.tif 000008
【図７】
0003187335.tif 000009
【図８】
0003187335.tif 000010
【図９】
0003187335.tif 000011
【図１０】
0003187335.tif 000012
【図１１】
0003187335.tif 000013
【図１２】
0003187335.tif 000014
【図１３】
0003187335.tif 000015
【図１４】
0003187335.tif 000016
【図１５】
0003187335.tif 000017
【図１６】
0003187335.tif 000018